(57)【特許請求の範囲】
【請求項１】
第１のノードにより送信された第１の制御シグナリングを、第２のノードにより受信するステップであって、前記第１の制御シグナリングは、第２の制御シグナリングの送信のためのリソースに関する情報と、データの送信のためのリソースに関する情報とを含む、ステップと、
前記第２のノードにより、前記第２の制御シグナリングの送信のための前記リソースを使用することにより第３のノードに第２の制御シグナリングを送信するステップと、
前記第２のノードにより、前記データの送信のための前記リソースを使用することにより前記第３のノードにデータを送信するステップと
を含み、前記第１のノードは中央制御デバイスであり、前記第２のノードはＤｅｖｉｃｅ−ｔｏ−Ｄｅｖｉｃｅ（Ｄ２Ｄ）通信における第１の端末デバイスであり、前記第３のノードはＤ２Ｄ通信における第２の端末デバイスであり、
前記第１の制御シグナリングは２つの周波数領域リソースのフィールドを含み、前記２つの周波数領域リソースのフィールドは、前記第２のノードの前記第２の制御シグナリングの送信のための周波数領域リソースおよび前記第２のノードの前記データの送信のための周波数領域リソースを識別するためにそれぞれ使用され、
前記第１の制御シグナリングは、複数回の前記第２の制御シグナリングの送信および複数回の前記データの送信のための送信リソースに関する情報を含む、リソーススケジューリングの方法。
【請求項２】
前記第２の制御シグナリングの送信のための前記リソースは、周波数領域リソースおよび／または時間領域リソースであり、前記第２のノードのデータの送信のための前記リソースは、周波数領域リソースおよび／または時間領域リソースである、請求項１に記載の方法。
【請求項３】
第１のノードにより、第２のノードの第２の制御シグナリングの送信のためのリソースに関する情報、および前記第２のノードのデータの送信のためのリソースに関する情報を獲得するステップと、
前記第１のノードにより、第１の制御シグナリングを前記第２のノードに送信するステップと
を含み、前記第１の制御シグナリングは、前記第２の制御シグナリングの送信のための前記リソースに関する前記情報および前記データの送信のための前記リソースに関する前記情報を含み、
前記第１のノードは中央制御デバイスであり、前記第２のノードはＤｅｖｉｃｅ−ｔｏ−Ｄｅｖｉｃｅ（Ｄ２Ｄ）通信における第１の端末デバイスであり、
前記第１の制御シグナリングは２つの周波数領域リソースのフィールドを含み、前記２つの周波数領域リソースのフィールドは、前記第２のノードの前記第２の制御シグナリングの送信のための周波数領域リソースおよび前記第２のノードの前記データの送信のための周波数領域リソースを識別するためにそれぞれ使用され、
前記第１の制御シグナリングは、複数回の前記第２の制御シグナリングの送信および複数回の前記データの送信のための送信リソースに関する情報を含む、リソーススケジューリングの方法。
【請求項４】
前記第２の制御シグナリングの送信のための前記リソースは、周波数領域リソースおよび／または時間領域リソースであり、前記第２のノードのデータの送信のための前記リソースは、周波数領域リソースおよび／または時間領域リソースである、請求項３に記載の方法。
【請求項５】
プロセッサとメモリとを含むリソーススケジューリングの装置であって、前記プロセッサは前記メモリに記憶されたコンピュータプログラムを実行して前記装置がリソーススケジューリングの方法を実行することを可能にするように構成され、前記方法は、
第１のノードにより送信された第１の制御シグナリングを受信するステップであって、前記第１の制御シグナリングは、第２のノードの第２の制御シグナリングの送信のためのリソースに関する情報と、前記第２のノードのデータの送信のためのリソースに関する情報とを含む、ステップと、
前記第２の制御シグナリングの送信のための前記リソースを使用することにより第３のノードに第２の制御シグナリングを送信するステップと、
前記データの送信のための前記リソースを使用することにより前記第３のノードにデータを送信するステップと
を含み、
前記第１のノードは中央制御デバイスであり、前記第２のノードはＤｅｖｉｃｅ−ｔｏ−Ｄｅｖｉｃｅ（Ｄ２Ｄ）通信における第１の端末デバイスであり、前記第３のノードはＤ２Ｄ通信における第２の端末デバイスであり、
前記第１の制御シグナリングは２つの周波数領域リソースのフィールドを含み、前記２つの周波数領域リソースのフィールドは、前記第２のノードの前記第２の制御シグナリングの送信のための周波数領域リソースおよび前記第２のノードの前記データの送信のための周波数領域リソースを識別するためにそれぞれ使用され、
前記第１の制御シグナリングは、複数回の前記第２の制御シグナリングの送信および複数回の前記データの送信のための送信リソースに関する情報を含む、リソーススケジューリングの装置。
【請求項６】
前記第２の制御シグナリングの送信のための前記リソースは、周波数領域リソースおよび／または時間領域リソースであり、前記第２のノードのデータの送信のための前記リソースは、周波数領域リソースおよび／または時間領域リソースである、請求項５に記載の装置。
【請求項７】
プロセッサとメモリとを含むリソーススケジューリングの装置であって、前記プロセッサは前記メモリに記憶されたコンピュータプログラムを実行して前記装置がリソーススケジューリングの方法を実行することを可能にするように構成され、前記方法は、
第２のノードの第２の制御シグナリングの送信のためのリソースに関する情報、および前記第２のノードのデータの送信のためのリソースに関する情報を獲得するステップと、
第１の制御シグナリングを前記第２のノードに送信するステップと
を含み、前記第１の制御シグナリングは、前記第２の制御シグナリングの送信のための前記リソースに関する前記情報および前記データの送信のための前記リソースに関する前記情報を含み、
前記第２のノードはＤｅｖｉｃｅ−ｔｏ−Ｄｅｖｉｃｅ（Ｄ２Ｄ）通信における第１の端末デバイスであり、
前記第１の制御シグナリングは２つの周波数領域リソースのフィールドを含み、前記２つの周波数領域リソースのフィールドは、前記第２のノードの前記第２の制御シグナリングの送信のための周波数領域リソースおよび前記第２のノードの前記データの送信のための周波数領域リソースを識別するためにそれぞれ使用され、
前記第１の制御シグナリングは、複数回の前記第２の制御シグナリングの送信および複数回の前記データの送信のための送信リソースに関する情報を含む、リソーススケジューリングの装置。
【請求項８】
前記第２の制御シグナリングの送信のための前記リソースは、周波数領域リソースおよび／または時間領域リソースであり、前記第２のノードのデータの送信のための前記リソースは、周波数領域リソースおよび／または時間領域リソースである、請求項７に記載の装置。
【請求項９】
リソーススケジューリングの装置であって、
第１のノードにより送信された第１の制御シグナリングを受信するように構成された受信モジュールであって、前記第１の制御シグナリングは、第２のノードの第２の制御シグナリングの送信のためのリソースに関する情報と、前記第２のノードのデータの送信のためのリソースに関する情報とを含む、受信モジュールと、
前記第２の制御シグナリングの送信のための前記リソースを使用することにより第３のノードに第２の制御シグナリングを送信するように構成された送信モジュールと
を含み、
前記送信モジュールは、前記データの送信のための前記リソースを使用することにより前記第３のノードにデータを送信するようにさらに構成され、
前記第１のノードは中央制御デバイスであり、前記第２のノードはＤｅｖｉｃｅ−ｔｏ−Ｄｅｖｉｃｅ（Ｄ２Ｄ）通信における第１の端末デバイスであり、前記第３のノードはＤ２Ｄ通信における第２の端末デバイスであり、
前記第１の制御シグナリングは２つの周波数領域リソースのフィールドを含み、前記２つの周波数領域リソースのフィールドは、前記第２のノードの前記第２の制御シグナリングの送信のための周波数領域リソースおよび前記第２のノードの前記データの送信のための周波数領域リソースを識別するためにそれぞれ使用され、
前記第１の制御シグナリングは、複数回の前記第２の制御シグナリングの送信および複数回の前記データの送信のための送信リソースに関する情報を含む、リソーススケジューリングの装置。
【請求項１０】
前記第２の制御シグナリングの送信のための前記リソースは、周波数領域リソースおよび／または時間領域リソースであり、前記第２のノードのデータの送信のための前記リソースは、周波数領域リソースおよび／または時間領域リソースである、請求項９に記載の装置。
【請求項１１】
リソーススケジューリングの装置であって、
第２のノードの第２の制御シグナリングの送信のためのリソースに関する情報、および前記第２のノードのデータの送信のためのリソースに関する情報を獲得するように構成された獲得モジュールと、
第１の制御シグナリングを前記第２のノードに送信するように構成された送信モジュールと
を含み、前記第１の制御シグナリングは、前記第２の制御シグナリングの送信のための前記リソースに関する前記情報および前記データの送信のための前記リソースに関する前記情報を含み、
前記第２のノードはＤｅｖｉｃｅ−ｔｏ−Ｄｅｖｉｃｅ（Ｄ２Ｄ）通信における第１の端末デバイスであり、
前記第１の制御シグナリングは２つの周波数領域リソースのフィールドを含み、前記２つの周波数領域リソースのフィールドは、前記第２のノードの前記第２の制御シグナリングの送信のための周波数領域リソースおよび前記第２のノードの前記データの送信のための周波数領域リソースを識別するためにそれぞれ使用され、
前記第１の制御シグナリングは、複数回の前記第２の制御シグナリングの送信および複数回の前記データの送信のための送信リソースに関する情報を含む、リソーススケジューリングの装置。
【請求項１２】
前記第２の制御シグナリングの送信のための前記リソースは、周波数領域リソースおよび／または時間領域リソースであり、前記第２のノードのデータの送信のための前記リソースは、周波数領域リソースおよび／または時間領域リソースである、請求項１１に記載の装置。
【請求項１３】
コンピュータに請求項１または２に記載のステップ、または請求項３または４に記載のステップを実行させる、プログラム。
【請求項１４】
記憶されたプログラムを有する不揮発性メモリであって、前記プログラムは、プロセッサにより実行されるとき、請求項１または２に記載の方法、または請求項３または４に記載の方法を実行する、不揮発性メモリ。
【発明の詳細な説明】
【技術分野】
【０００１】
本発明の実施形態は、通信テクノロジーの分野に関し、特に、リソーススケジューリングの方法、装置、およびシステムに関する。
【背景技術】
【０００２】
ワイヤレス通信テクノロジーの発展によって、超高送信レートを必要とするサービス（たとえば、高精細度ビデオ）が現れ、ワイヤレス通信ネットワークに対する負荷がますます重くなる。デバイスツーデバイス（Ｄｅｖｉｃｅ−ｔｏ−Ｄｅｖｉｃｅ、以降、Ｄ２Ｄと省略する）通信は、基地局によって送信されたデータを転送する必要のない端末間の直接通信を指す。Ｄ２Ｄ通信は、基地局のデータ送信に対する負荷を緩和することができるだけでなく、データ送信レートを向上させることもできる。
【０００３】
スペクトルの利用を向上させ、既存の端末の無線周波数の能力を最大限に活用するために、ロングタームエボリューション（Ｌｏｎｇ  Ｔｅｒｍ  Ｅｖｏｌｕｔｉｏｎ、略してＬＴＥ）などのモバイル通信システムにおいて、Ｄ２Ｄ通信リンクは、概して、既存の通信ネットワークのスペクトルリソースを再利用する。概して、Ｄ２Ｄ通信リンクは、送信リソースが中央制御デバイス（たとえば、基地局）によって割り当てられる集中的な管理方法でリソースを再利用する。図１は、Ｄ２Ｄ通信の概略構造図である。図１に示されるように、中央制御デバイス（Ｅｖｏｌｖｅｄ  Ｎｏｄｅ  Ｂ（ｅＮＢ））が、送信端末（図１に示されるＵＥ  Ｂ（Ｔｘ））に送信リソースを割り当てる。送信端末ＵＥ  Ｂは、データと、スケジューリング割り振り（Ｓｃｈｅｄｕｌｉｎｇ  Ａｓｓｉｇｎｍｅｎｔ、以降、ＳＡと省略する）情報などのデータに関連する制御シグナリングとをブロードキャストで受信端末（図１に示されるＵＥ  Ｃ、ＵＥ  Ｄ、およびＵＥ  Ｅ）に送信するために中央制御デバイスによって割り当てられた送信リソースを使用する。ブロードキャスト通信においては、ブロードキャストの送信者が、特定のリソースでデータサービスを送信し、受信者が、対応するリソースでデータを受信する。したがって、送信端末は、データのリソース情報を受信するように受信端末に命令するために、まず、受信端末に制御シグナリングを送信し、それから、受信端末にデータを送信する必要がある。中央制御デバイスによって送信端末に割り当てられる送信リソースは、ＳＡ送信リソースおよびデータ送信リソースを含み、中央制御デバイスは、送信端末に送信リソース情報を遅れずに知らせる必要がある。
【０００４】
従来技術においては、中央制御デバイスが、ＳＡスケジューリングパーミッションコマンド（SA scheduling permission command）を送信端末に送信することによってＳＡ送信リソースをスケジューリングし、データスケジューリングパーミッションコマンド（data scheduling permission command）を送信端末に送信することによってデータ送信リソースをスケジューリングする。従来技術のリソーススケジューリングの方法は、大きなシグナリングのオーバーヘッドおよび低い効率の原因となる。
【発明の概要】
【０００５】
本発明の実施形態は、リソーススケジューリングのシグナリングのオーバーヘッドを低減し、リソーススケジューリングの効率を向上させるために、リソーススケジューリングの方法、装置、およびシステムを提供する。
【０００６】
上述の目的を達成するために、以下の技術的な解決策が、本発明の実施形態において使用される。
【０００７】
第１の態様によれば、本発明の実施形態は、
第２のノードにより、第１のノードにより送信された第１の制御シグナリングを受信することであって、第１の制御シグナリングが、第２の制御シグナリングの送信のためのリソースに関する情報およびデータの送信のためのリソースに関する情報を含む、受信することと、
第２のノードにより、第２の制御シグナリングの送信のためのリソースを使用することにより第３のノードに第２の制御シグナリングを送信することと、
第２のノードにより、データの送信のためのリソースを使用することにより第３のノードにデータを送信することとを含む、リソーススケジューリングの方法を提供する。
【０００８】
第１の態様の第１の可能な実装方式において、第１の制御シグナリングは、１つの周波数領域リソースのフィールドを含み、周波数領域リソースのフィールドは、第２のノードの第２の制御シグナリングの送信のための周波数領域リソースおよび第２のノードのデータの送信のための周波数領域リソースを特定するために使用され、第２の制御シグナリングの送信のための周波数領域リソースは、データの送信のための周波数領域リソースと同じである。
【０００９】
第１の態様の第２の可能な実装方式において、第１の制御シグナリングは、１つの周波数領域リソースのフィールドを含み、周波数領域リソースのフィールドは、第２のノードのデータの送信のための周波数領域リソースを特定するために使用され、第２のノードの第２の制御シグナリングの送信のための周波数領域リソースは、予め定められるかもしくは擬似静的に構成されるか、またはシステムメッセージを使用することにより構成される。
【００１０】
第１の態様の第３の可能な実装方式において、第１の制御シグナリングは、２つの周波数領域リソースのフィールドを含み、２つの周波数領域リソースのフィールドは、それぞれ、第２のノードの第２の制御シグナリングの送信のための周波数領域リソースおよび第２のノードのデータの送信のための周波数領域リソースを特定するために使用される。
【００１１】
第１の態様の第４の可能な実装方式において、第１の制御シグナリングは、複数回の第２の制御シグナリングの送信および複数回のデータの送信のための送信リソースに関する情報を含み、第２の制御シグナリングの送信のための時間領域リソースに関する情報は、
第２の制御シグナリングの送信の始まりの時間領域リソース番号、もしくは第２の制御シグナリングの送信の始まりの時間領域リソース番号の計算規則、および／または
各回の第２の制御シグナリングの送信のために占有される時間領域リソースの量、および／または
第２の制御シグナリングの送信の周期、もしくは２回の第２の制御シグナリングの送信の間の間隔、および／または
第２の制御シグナリングの送信の回数の量を含む。
【００１２】
第１の態様の第５の可能な実装方式において、第１の制御シグナリングは、複数回の第２の制御シグナリングの送信および複数回のデータの送信のための送信リソースに関する情報を含み、データの送信のための時間領域リソースに関する情報は、
１回目のデータの送信の始まりの時間領域リソース番号、もしくは１回目のデータの送信の始まりの時間領域リソース番号の計算規則、および／または
各回のデータの送信のために占有される時間領域リソースの量、および／または
データの送信の周期、もしくは２回のデータの送信の間の間隔、および／または
データの送信の回数の量を含む。
【００１３】
第１の態様の第６の可能な実装方式において、第１の制御シグナリングは、１回の第２の制御シグナリングの送信および複数回のデータの送信のための送信リソースに関する情報を含み、第２の制御シグナリングの送信のための時間領域リソースに関する情報は、
第２の制御シグナリングの送信の始まりの時間領域リソース番号、もしくは第２の制御シグナリングの送信の始まりの時間領域リソース番号の計算規則、および／または
第２の制御シグナリングの送信のために占有される時間領域リソースの量を含み、
データの送信のための時間領域リソースに関する情報は、
１回目のデータの送信の始まりの時間領域リソース番号、もしくは１回目のデータの送信の始まりの時間領域リソース番号の計算規則、および／または
各回のデータの送信のために占有される時間領域リソースの量、および／または
データの送信の周期、もしくは２回のデータの送信の間の間隔、および／または
データの送信の回数の量を含む。
【００１４】
第１の態様の第７の可能な実装方式において、第１の制御シグナリングは、１回の第２の制御シグナリングの送信および１回のデータの送信のための送信リソースに関する情報を含み、第２の制御シグナリングの送信のための時間領域リソースは、データの送信のための時間領域リソースと連続しており、第１の制御シグナリングは、第２の制御シグナリングの送信のために占有される時間領域リソースの量、および／またはデータの送信のために占有される時間領域リソースの量、および／または第２の制御シグナリングの送信の始まりの時間領域リソース番号を含み、または第１の制御シグナリングは、第２の制御シグナリングの送信およびデータの送信のために占有される時間領域リソースの総量、ならびに／または第２の制御シグナリングの送信のために占有される時間領域リソースの量もしくは第２の制御シグナリングの送信のために占有される時間領域リソースの比率、ならびに／または第２の制御シグナリングの送信の始まりの時間領域リソース番号を含み、または第１の制御シグナリングは、第２の制御シグナリングの送信およびデータの送信のために占有される時間領域リソースの総量、ならびに／またはデータの送信のために占有される時間領域リソースの量もしくはデータの送信のために占有される時間領域リソースの比率、ならびに／または第２の制御シグナリングの送信の始まりの時間領域リソース番号を含む。
【００１５】
第１の態様の第８の可能な実装方式において、第１の制御シグナリングは、１回の第２の制御シグナリングの送信および１回のデータの送信のための送信リソースに関する情報を含み、第２の制御シグナリングの送信のための時間領域リソースは、データの送信のための時間領域リソースと連続しておらず、第１の制御シグナリングは、第２の制御シグナリングの送信のために占有される時間領域リソースの量、および／またはデータの送信のために占有される時間領域リソースの量、および／または第２の制御シグナリングの送信の始まりの時間領域リソース番号、および／またはデータの送信と第２の制御シグナリングの送信との間の間隔を含む。
【００１６】
第１の態様の第９の可能な実装方式において、第１の制御シグナリングは、１つのフィールドを含み、フィールドは、ビットマップ方式で、どのリソースが第２の制御シグナリングの送信のために使用されるか、およびどのリソースがデータの送信のために使用されるかを特定するために使用される。
【００１７】
第１の態様の第１０の可能な実装方式において、第１の制御シグナリングは、１つのフィールドを含み、フィールドは、第２の制御シグナリングの送信のために占有される予め定められたリソースのパターンのシリアル番号、およびデータの送信のために占有される予め定められたリソースのパターンのシリアル番号を特定するために使用される。
【００１８】
第１の態様、第１の態様の第１の可能な実装方式、第１の態様の第２の可能な実装方式、第１の態様の第３の可能な実装方式、第１の態様の第４の可能な実装方式、第１の態様の第５の可能な実装方式、第１の態様の第６の可能な実装方式、第１の態様の第７の可能な実装方式、第１の態様の第８の可能な実装方式、第１の態様の第９の可能な実装方式、または第１の態様の第１０の可能な実装方式に関連して、第１の態様の第１１の可能な実装方式において、第１の制御シグナリングは、第２の制御シグナリングのための他のパラメータ情報、およびデータの送信のための他のパラメータ情報をさらに含み、
第１の制御シグナリングは、１つのパブリックフィールド（public field）を含み、パブリックフィールドは、第２の制御シグナリングのための他のパラメータ情報とデータの送信のための他のパラメータ情報との両方を特定するために使用され、または第１の制御シグナリングは、２つの専用のフィールドを含み、２つの専用のフィールドは、第２の制御シグナリングのための他のパラメータ情報およびデータの送信のための他のパラメータ情報を特定するためにそれぞれ使用され、または第１の制御シグナリングは、１つのフィールドを含み、フィールドはデータの送信のための他のパラメータ情報を特定するために使用され、第２の制御シグナリングの他のパラメータは、一定であるか、予め定められるか、擬似静的に構成されるか、またはシステムメッセージを使用することにより構成される。
【００１９】
第２の態様によれば、本発明の実施形態は、
第１のノードにより、第２のノードの第２の制御シグナリングの送信のためのリソースに関する情報および第２のノードのデータの送信のためのリソースに関する情報を獲得するステップであって、リソースが、周波数領域リソースおよび／または時間領域リソースである、ステップと、
第１のノードにより、第２のノードに第１の制御シグナリングを送信するステップであって、第１の制御シグナリングが、第２の制御シグナリングの送信のためのリソースに関する情報およびデータの送信のためのリソースに関する情報を含み、その結果、第１の制御シグナリングを受信した後、第２のノードが、第２の制御シグナリングの送信のためのリソースを使用して第３のノードに第２の制御シグナリングを送信し、および／またはデータの送信のためのリソースを使用して第３のノードにデータを送信し得る、ステップとを含むリソーススケジューリングの方法を提供する。
【００２０】
第３の態様によれば、本発明の実施形態は、
第１のノードにより送信された第１の制御シグナリングを受信するように構成された受信モジュールであって、第１の制御シグナリングが、第２の制御シグナリングの送信のためのリソースに関する情報およびデータの送信のためのリソースに関する情報を含む、受信モジュールと、
第２の制御シグナリングの送信のためのリソースを使用することにより第３のノードに第２の制御シグナリングを送信するように構成された送信モジュールとを含み、
送信モジュールが、データの送信のためのリソースを使用することにより第３のノードにデータを送信するようにさらに構成されるリソーススケジューリングの装置を提供する。
【００２１】
第３の態様の第１の可能な実装方式において、第１の制御シグナリングは、１つの周波数領域リソースのフィールドを含み、周波数領域リソースのフィールドは、第２のノードの第２の制御シグナリングの送信のための周波数領域リソースおよび第２のノードのデータの送信のための周波数領域リソースを特定するために使用され、第２の制御シグナリングの送信のための周波数領域リソースは、データの送信のための周波数領域リソースと同じである。
【００２２】
第３の態様の第２の可能な実装方式において、第１の制御シグナリングは、１つの周波数領域リソースのフィールドを含み、周波数領域リソースのフィールドは、第２のノードのデータの送信のための周波数領域リソースを特定するために使用され、第２のノードの第２の制御シグナリングの送信のための周波数領域リソースは、予め定められるかまたは擬似静的に構成されるか、またはシステムメッセージを使用することにより構成される。
【００２３】
第３の態様の第３の可能な実装方式において、第１の制御シグナリングは、２つの周波数領域リソースのフィールドを含み、２つの周波数領域リソースのフィールドは、それぞれ、第２のノードの第２の制御シグナリングの送信のための周波数領域リソースおよび第２のノードのデータの送信のための周波数領域リソースを特定するために使用される。
【００２４】
第３の態様の第４の可能な実装方式において、第１の制御シグナリングは、複数回の第２の制御シグナリングの送信および複数回のデータの送信のための送信リソースに関する情報を含み、第２の制御シグナリングの送信のための時間領域リソースに関する情報は、
第２の制御シグナリングの送信の始まりの時間領域リソース番号、もしくは第２の制御シグナリングの送信の始まりの時間領域リソース番号の計算規則、および／または
各回の第２の制御シグナリングの送信のために占有される時間領域リソースの量、および／または
第２の制御シグナリングの送信の周期、もしくは２回の第２の制御シグナリングの送信の間の間隔、および／または
第２の制御シグナリングの送信の回数の量を含む。
【００２５】
第３の態様の第５の可能な実装方式において、第１の制御シグナリングは、複数回の第２の制御シグナリングの送信および複数回のデータの送信のための送信リソースに関する情報を含み、データの送信のための時間領域リソースに関する情報は、
１回目のデータの送信の始まりの時間領域リソース番号、もしくは１回目のデータの送信の始まりの時間領域リソース番号の計算規則、および／または
各回のデータの送信のために占有される時間領域リソースの量、および／または
データの送信の周期、もしくは２回のデータの送信の間の間隔、および／または
データの送信の回数の量を含む。
【００２６】
第３の態様の第６の可能な実装方式において、第１の制御シグナリングは、１回の第２の制御シグナリングの送信および複数回のデータの送信のための送信リソースに関する情報を含み、第２の制御シグナリングの送信のための時間領域リソースに関する情報は、
第２の制御シグナリングの送信の始まりの時間領域リソース番号、もしくは第２の制御シグナリングの送信の始まりの時間領域リソース番号の計算規則、および／または
第２の制御シグナリングの送信のために占有される時間領域リソースの量を含み、
データの送信のための時間領域リソースに関する情報は、
１回目のデータの送信の始まりの時間領域リソース番号、もしくは１回目のデータの送信の始まりの時間領域リソース番号の計算規則、および／または
各回のデータの送信のために占有される時間領域リソースの量、および／または
データの送信の周期、もしくは２回のデータの送信の間の間隔、および／または
データの送信の回数の量を含む。
【００２７】
第３の態様の第７の可能な実装方式において、第１の制御シグナリングは、１回の第２の制御シグナリングの送信および１回のデータの送信のための送信リソースに関する情報を含み、第２の制御シグナリングの送信のための時間領域リソースは、データの送信のための時間領域リソースと連続しており、第１の制御シグナリングは、第２の制御シグナリングの送信のために占有される時間領域リソースの量、および／またはデータの送信のために占有される時間領域リソースの量、および／または第２の制御シグナリングの送信の始まりの時間領域リソース番号を含み、または第１の制御シグナリングは、第２の制御シグナリングの送信およびデータの送信のために占有される時間領域リソースの総量、ならびに／または第２の制御シグナリングの送信のために占有される時間領域リソースの量もしくは第２の制御シグナリングの送信のために占有される時間領域リソースの比率、ならびに／または第２の制御シグナリングの送信の始まりの時間領域リソース番号を含み、または第１の制御シグナリングは、第２の制御シグナリングの送信およびデータの送信のために占有される時間領域リソースの総量、ならびに／またはデータの送信のために占有される時間領域リソースの量もしくはデータの送信のために占有される時間領域リソースの比率、ならびに／または第２の制御シグナリングの送信の始まりの時間領域リソース番号を含む。
【００２８】
第３の態様の第８の可能な実装方式において、第１の制御シグナリングは、１回の第２の制御シグナリングの送信および１回のデータの送信のための送信リソースに関する情報を含み、第２の制御シグナリングの送信のための時間領域リソースは、データの送信のための時間領域リソースと連続しておらず、第１の制御シグナリングは、第２の制御シグナリングの送信のために占有される時間領域リソースの量、および／またはデータの送信のために占有される時間領域リソースの量、および／または第２の制御シグナリングの送信の始まりの時間領域リソース番号、および／またはデータの送信と第２の制御シグナリングの送信との間の間隔を含む。
【００２９】
第３の態様の第９の可能な実装方式において、第１の制御シグナリングは、１つのフィールドを含み、フィールドは、ビットマップ方式で、どのリソースが第２の制御シグナリングの送信のために使用されるか、およびどのリソースがデータの送信のために使用されるかを特定するために使用される。
【００３０】
第３の態様の第１０の可能な実装方式において、第１の制御シグナリングは、１つのフィールドを含み、フィールドは、第２の制御シグナリングの送信のために占有される予め定められたリソースのパターンのシリアル番号、およびデータの送信のために占有される予め定められたリソースのパターンのシリアル番号を特定するために使用される。
【００３１】
第３の態様、第３の態様の第１の可能な実装方式、第３の態様の第２の可能な実装方式、第３の態様の第３の可能な実装方式、第３の態様の第４の可能な実装方式、第３の態様の第５の可能な実装方式、第３の態様の第６の可能な実装方式、第３の態様の第７の可能な実装方式、第３の態様の第８の可能な実装方式、第３の態様の第９の可能な実装方式、または第３の態様の第１０の可能な実装方式に関連して、第３の態様の第１１の可能な実装方式において、第１の制御シグナリングは、第２の制御シグナリングのための他のパラメータ情報、およびデータの送信のための他のパラメータ情報をさらに含み、
第１の制御シグナリングは、１つのパブリックフィールドを含み、パブリックフィールドは、第２の制御シグナリングのための他のパラメータ情報とデータの送信のための他のパラメータ情報との両方を特定するために使用され、または第１の制御シグナリングは、２つの専用のフィールドを含み、２つの専用のフィールドは、第２の制御シグナリングのための他のパラメータ情報およびデータの送信のための他のパラメータ情報を特定するためにそれぞれ使用され、または第１の制御シグナリングは、１つのフィールドを含み、フィールドはデータの送信のための他のパラメータ情報を特定するために使用され、第２の制御シグナリングの他のパラメータは、一定であるか、予め定められるか、擬似静的に構成されるか、またはシステムメッセージを使用することにより構成される。
【００３２】
第４の態様によれば、本発明の実施形態は、
第２のノードの第２の制御シグナリングの送信のためのリソースに関する情報および第２のノードのデータの送信のためのリソースに関する情報を獲得するように構成された獲得モジュールであって、リソースが、周波数領域リソースおよび／または時間領域リソースである、獲得モジュールと、
第２のノードに第１の制御シグナリングを送信するように構成された送信モジュールであって、第１の制御シグナリングが、第２の制御シグナリングの送信のためのリソースに関する情報およびデータの送信のためのリソースに関する情報を含み、その結果、第１の制御シグナリングを受信した後、第２のノードが、第２の制御シグナリングの送信のためのリソースを使用して第３のノードに第２の制御シグナリングを送信し、および／またはデータの送信のためのリソースを使用して第３のノードにデータを送信し得る、送信モジュールとを含むリソーススケジューリングの装置を提供する。
【００３３】
第５の態様によれば、本発明の実施形態は、第１のノード、第２のノード、および第３のノードを含み、第１のノードが、第１のノードの側にあり、本発明のいずれかの実施形態において提供されるリソーススケジューリングの装置を使用し、第２のノードが、第２のノードの側にあり、本発明のいずれかの実施形態において提供されるリソーススケジューリングの装置を使用するリソーススケジューリングのシステムを提供する。
【００３４】
本発明の実施形態で提供される技術的な解決策においては、第１のノードが、まず、第２の制御シグナリングの送信のためのリソースに関する情報およびデータの送信のためのリソースに関する情報を獲得し、両方のリソースが、第２のノードに事前に割り当てられ、第１のノードは、第２のノードに第１の制御シグナリングを送信することにより第２のノードに第２の制御シグナリングの送信のためのリソースに関する情報およびデータの送信のためのリソースに関する情報を送信し、第１のノードにより送信された第１の制御シグナリングを受信した後、第２のノードが、さらに、第２の制御シグナリングの送信のためのリソースを使用して第３のノードに第２の制御シグナリングを送信し、データの送信のためのリソースを使用して第３のノードにデータを送信する。第１の制御シグナリングが第２の制御シグナリングの送信のためのリソースに関する情報とデータの送信のためのリソースに関する情報との両方を含むので、第２の制御シグナリングの送信のためのリソースおよびデータの送信のためのリソースの並列的なスケジューリングが実装され、そのことが、リソーススケジューリングのシグナリングのオーバーヘッドを低減し、リソーススケジューリングの効率を向上させる。
【図面の簡単な説明】
【００３５】
本発明の実施形態の技術的な解決策をより明瞭に説明するために、以下では、実施形態または従来技術を説明するために必要とされる添付の図面を簡潔に説明する。明らかに、以下の説明において添付の図面は本発明の一部の実施形態を示すに過ぎず、当業者は創造的な努力なしにこれらの添付の図面から他の図面をさらに導出し得る。
【図１】Ｄ２Ｄ通信の概略構造図である。
【図２】本発明によるリソーススケジューリングの方法の実施形態１のフローチャートである。
【図３】本発明によるリソーススケジューリングの方法の実施形態２の概略図である。
【図４】本発明によるリソーススケジューリングの方法の実施形態３の概略図である。
【図５】本発明によるリソーススケジューリングの方法の実施形態４の概略図である。
【図６】本発明によるリソーススケジューリングの方法の実施形態５のフローチャートである。
【図７】本発明によるリソーススケジューリングの装置の実施形態１の概略構造図である。
【図８】本発明によるリソーススケジューリングの装置の実施形態２の概略構造図である。
【図９】本発明の実施形態によるリソーススケジューリングのシステムの概略構造図である。
【図１０】本発明の実施形態によるリソーススケジューリングデバイスの実施形態１の概略構造図である。
【図１１】本発明の実施形態によるリソーススケジューリングデバイスの実施形態２の概略構造図である。
【発明を実施するための形態】
【００３６】
以下では、本発明の実施形態の添付の図面を参照して本発明の実施形態の技術的な解決策を明瞭かつ完全に説明する。明らかに、説明される実施形態は、本発明の実施形態の一部に過ぎず、すべてではない。創造的な努力なしに本発明の実施形態に基づいて当業者によって得られ得るすべての他の実施形態は、本発明の保護範囲内に入る。
【００３７】
図２は、本発明によるリソーススケジューリングの方法の実施形態１のフローチャートである。図２に示されるように、この実施形態の方法は、以下の内容を含んでもよい。
【００３８】
Ｓ２０１．第２のノードが、第１のノードによって送信された第１の制御シグナリングを受信し、第１の制御シグナリングは、第２の制御シグナリングの送信のためのリソースに関する情報およびデータの送信のためのリソースに関する情報を含む。
【００３９】
特に、第１のノードは、ネットワーク内の中央制御デバイス（たとえば、基地局）であってもよく、第２のノードは、Ｄ２Ｄ通信における送信するエンドデバイス（end device）であってもよく、第１の制御シグナリングは、ダウンリンク制御情報（ＤＣＩ）であってもよい。
【００４０】
Ｓ２０２．第２のノードが、第２の制御シグナリングの送信のためのリソースを使用することによって第３のノードに第２の制御シグナリングを送信する。
【００４１】
第３のノードは、Ｄ２Ｄ通信における受信側装置であってもよい。
【００４２】
Ｓ２０３．第２のノードが、データの送信のためのリソースを使用することによって第３のノードにデータを送信する。
【００４３】
特に、第２の制御シグナリングの送信のためのリソースとデータの送信のためのリソースとの両方が第２のノードに事前に割り当てられる場合に、第２の制御シグナリングの送信のためのリソースに関する情報およびデータの送信のためのリソースに関する情報を搬送する第１の制御シグナリングを受信した後、第２のノードは、まず、第２の制御シグナリングの送信のためのリソースに関する情報に従って第３のノードに第２の制御シグナリングを送信し、そして、データの送信のためのリソースに関する情報に従って第３のノードにデータを送信する。
【００４４】
この実施形態においては、第２のノードが、第２の制御シグナリングの送信のためのリソースに関する情報およびデータの送信のためのリソースに関する情報を受信し、両方のリソースが、第２のノードに事前に割り当てられかつ第１のノードによって送信され、第２のノードが、さらに、第２の制御シグナリングの送信のためのリソースを使用して第３のノードに第２の制御シグナリングを送信し、データの送信のためのリソースを使用して第３のノードにデータを送信する。第１の制御シグナリングが第２の制御シグナリングの送信のためのリソースに関する情報とデータの送信のためのリソースに関する情報との両方を含むので、第２の制御シグナリングの送信のためのリソースおよびデータの送信のためのリソースの並列的なスケジューリングが実装され、そのことが、リソーススケジューリングのシグナリングのオーバーヘッドを低減し、リソーススケジューリングの効率を向上させる。
【００４５】
上述の方法において、第１の制御シグナリングは、１つの周波数領域リソースのフィールドを含み、周波数領域リソースのフィールドは、第２のノードの第２の制御シグナリングの送信のための周波数領域リソースおよび第２のノードのデータの送信のための周波数領域リソースを特定するために使用され、第２の制御シグナリングの送信のための周波数領域リソースは、データの送信のための周波数領域リソースと同じである。
【００４６】
たとえば、第２の制御シグナリングの送信のために第２のノードに事前に割り当てられた周波数領域リソースがデータの送信のために第２のノードに事前に割り当てられた周波数領域リソースと同じである場合、第２のノードの第２の制御シグナリングの送信のための周波数領域リソースに関する情報および第２のノードのデータの送信のための周波数領域リソースに関する情報は、リソーススケジューリングのシグナリングのオーバーヘッドを低減し、リソーススケジューリングの効率を向上させるためにＤＣＩの同じフィールドに記録されてもよい。
【００４７】
上述の方法において、第１の制御シグナリングは、１つの周波数領域リソースのフィールドを含み、周波数領域リソースのフィールドは、第２のノードのデータの送信のための周波数領域リソースを特定するために使用され、第２のノードの第２の制御シグナリングの送信のための周波数領域リソースは、予め定められるかもしくは擬似静的に構成されるか、またはシステムメッセージを使用することによって構成される。
【００４８】
特に、第２のノードの第２の制御シグナリングの送信のための周波数領域リソースは、伝送プロトコルにおいて予め定められる（たとえば、中央の周波数の６つのリソースブロック（Ｒｅｓｏｕｒｃｅ  Ｂｌｏｃｋ、略してＲＢ）である）こととしてもよく、または擬似静的に構成される（たとえば、より上位のレイヤの無線リソース制御（Ｒａｄｉｏ  Ｒｅｓｏｕｒｃｅ  Ｃｏｎｔｒｏｌ、略してＲＲＣ）シグナリングを使用することによって構成される）こととしてもよく、またはシステムメッセージを使用することによって構成される（たとえば、システム情報ブロック（Ｓｙｓｔｅｍ  Ｉｎｆｏｒｍａｔｉｏｎ  Ｂｌｏｃｋ、略してＳＩＢ）メッセージを使用することによって構成される）こととしてもよい。この場合、第１の制御シグナリングは、第２のノードのデータの送信のためのリソースに関する情報を特定するために使用される１つの周波数領域リソースのフィールドのみを含んでもよく、このことは、したがって、リソーススケジューリングのシグナリングのオーバーヘッドを低減し、リソーススケジューリングの効率を向上させることができる。
【００４９】
上述の方法においては、任意選択で、第１の制御シグナリングが、２つの周波数領域リソースのフィールドを含み、２つの周波数領域リソースのフィールドは、それぞれ、第２のノードの第２の制御シグナリングの送信のための周波数領域リソースおよび第２のノードのデータの送信のための周波数領域リソースを特定するために使用される。
【００５０】
たとえば、第２のノードの第２の制御シグナリングの送信のための周波数領域リソース（周波数領域リソースブロックＲＢの量または周波数領域リソースブロックグループＲＢＧの量）に関する情報が、ＤＣＩの１つのフィールドに記録されてもよく、第２のノードのデータの送信のための周波数領域リソース（周波数領域リソースブロックＲＢの量または周波数領域リソースブロックグループＲＢＧの量）に関する情報が、ＤＣＩの別のフィールドに記録されてもよい。
【００５１】
図３は、本発明によるリソーススケジューリングの方法の実施形態２の概略図である。この実施形態においては、１つの第１の制御シグナリングが、複数回のＳＡの送信および複数回のデータの送信のための送信リソースに関する情報を含む。たとえば、図３に示されるように、基地局ｅＮＢが、送信端末ＵＥ１に２つの制御コマンドを送信し、２つの制御コマンドは、それぞれ、Ｄ２Ｄ  ｇｒａｎｔ１およびＤ２Ｄ  ｇｒａｎｔ２である。Ｄ２Ｄ  ｇｒａｎｔ１は、２回のＳＡの送信および２回のデータの送信のための送信リソースに関する情報を含み、２回のＳＡの送信のための送信リソースに関する情報は、それぞれ、ＳＡ１およびＳＡ２であり、２回のデータの送信のための送信リソースに関する情報は、それぞれ、Ｄａｔａ１およびＤａｔａ２である。Ｄ２Ｄ  ｇｒａｎｔ２は、２回のＳＡの送信および３回のデータの送信のための送信リソースに関する情報を含み、２回のＳＡの送信のための送信リソースに関する情報は、それぞれ、ＳＡ３およびＳＡ４であり、３回のデータの送信のための送信リソースに関する情報は、それぞれ、Ｄａｔａ３、Ｄａｔａ４、およびＤａｔａ５である。
【００５２】
上述の方法においては、図３に示されるように、第１の制御シグナリングは、複数回の第２の制御シグナリングの送信および複数回のデータの送信のための送信リソースに関する情報を含み、第２の制御シグナリングの送信のための時間領域リソースに関する情報は、
第２の制御シグナリングの送信の始まりの時間領域リソース番号、もしくは第２の制御シグナリングの送信の始まりの時間領域リソース番号の計算規則、および／または
各回の第２の制御シグナリングの送信のために占有される時間領域リソースの量、および／または
第２の制御シグナリングの送信の周期、もしくは２回の第２の制御シグナリングの送信の間の間隔、および／または
第２の制御シグナリングの送信の回数の量を含む。
【００５３】
特に、たとえば、制御コマンドが、第２の制御シグナリングの送信の始まりの時間領域リソース番号ｍ０を提供してもよく、または第２の制御シグナリングの送信の始まりの時間領域リソース番号の計算規則Ｎ＋ｍ０を提供してもよく、ｍ０は、一定値であってもよく（たとえば、ｍ０＝４）、または予め定められるかもしくは擬似静的に構成されてもよく、またはシステムメッセージを使用することによって構成されてもよい。同様に、各回の第２の制御シグナリングの送信のために占有される時間領域リソースの量ｍは、一定値であってもよく（たとえば、ｍ＝１）、または予め定められるかもしくは擬似静的に構成されてもよく、またはシステムメッセージを使用することによって構成されてもよく、第２の制御シグナリングの送信の周期ｐは、一定値であってもよく（たとえば、ｐ＝８）、または予め定められるかもしくは擬似静的に構成されてもよく、またはシステムメッセージを使用することによって構成されてもよく、２回の第２の制御シグナリングの送信の間の間隔ｕ（ｕ＝ｐ−ｍ）は、一定値であってもよく（たとえば、ｕ＝５）、または予め定められるかもしくは擬似静的に構成されてもよく、またはシステムメッセージを使用することによって構成されてもよく、第２の制御シグナリングの送信の回数の量ｘは、一定値であってもよく（たとえば、ｘ＝３）、または予め定められるかもしくは擬似静的に構成されてもよく、またはシステムメッセージを使用することによって構成されてもよい。
【００５４】
上述の方法においては、図３に示されるように、第１の制御シグナリングは、複数回の第２の制御シグナリングの送信および複数回のデータの送信のための送信リソースに関する情報を含み、データの送信のための時間領域リソースに関する情報は、
１回目のデータの送信の始まりの時間領域リソース番号、もしくは１回目のデータの送信の始まりの時間領域リソース番号の計算規則、および／または
各回のデータの送信のために占有される時間領域リソースの量、および／または
データの送信の周期、もしくは２回のデータの送信の間の間隔、および／または
データの送信の回数の量を含む。
【００５５】
特に、たとえば、制御コマンドが、データの送信の始まりの時間領域リソース番号ｎ０を提供してもよく、またはデータの送信の始まりの時間領域リソース番号の計算規則を提供してもよく、たとえば、データの送信の始まりの時間領域リソース番号の設定された計算規則は、Ｎ＋ｎ０であり、ｎ０は、一定値であってもよく（たとえば、ｎ０＝５）、または予め定められるかもしくは擬似静的に構成されてもよく、またはシステムメッセージを使用することによって構成されてもよく、さらに、１回目のデータの送信および１回目の第２の制御シグナリングの送信のための最初の時間領域リソースの間の間隔ｓが設定されてもよく、データの送信の始まりの時間領域リソース番号は、受信された第２の制御シグナリングの最後の時間領域リソース番号にｓを足すことによって得られてもよい。同様に、ｓは、一定値であってもよく（たとえば、ｓ＝０）、または予め定められるかもしくは擬似静的に構成されてもよく、またはシステムメッセージを使用することによって構成されてもよい。
【００５６】
同様に、各回のデータの送信のために占有される時間領域リソースの量ｎは、一定値であってもよく（たとえば、ｎ＝３）、または予め定められるかもしくは擬似静的に構成されてもよく、またはシステムメッセージを使用することによって構成されてもよく、データの送信の周期ｑは、一定値であってもよく（たとえば、ｑ＝８）、または予め定められるかもしくは擬似静的に構成されてもよく、またはシステムメッセージを使用することによって構成されてもよく、２回のデータの送信の間の間隔ｖ（ｖ＝ｑ−ｎ）は、一定値であってもよく（たとえば、ｖ＝５）、または予め定められるかもしくは擬似静的に構成されてもよく、またはシステムメッセージを使用することによって構成されてもよく、データの送信の回数の量ｙは、一定値であってもよく（たとえば、ｙ＝３）、または予め定められるかもしくは擬似静的に構成されてもよく、またはシステムメッセージを使用することによって構成されてもよい。
【００５７】
図４は、本発明によるリソーススケジューリングの方法の実施形態３の概略図である。この実施形態においては、１つの第１の制御シグナリングが、１回の第２の制御シグナリングの送信および複数回のデータの送信のための送信リソースに関する情報を含む。たとえば、図４に示されるように、基地局ｅＮＢが、送信端末ＵＥ２に２つの制御コマンドを送信し、２つの制御コマンドは、それぞれ、Ｄ２Ｄ  ｇｒａｎｔ１およびＤ２Ｄ  ｇｒａｎｔ２である。Ｄ２Ｄ  ｇｒａｎｔ１は、１回のＳＡの送信および２回のデータの送信のための送信リソースに関する情報を含み、ＳＡの送信のための送信リソースに関する情報は、ＳＡ１であり、２回のデータの送信のための送信リソースに関する情報は、それぞれ、Ｄａｔａ１およびＤａｔａ２である。Ｄ２Ｄ  ｇｒａｎｔ２は、１回のＳＡの送信および２回のデータの送信のための送信リソースに関する情報を含み、ＳＡの送信のための送信リソースに関する情報は、ＳＡ２であり、２回のデータの送信のための送信リソースに関する情報は、それぞれ、Ｄａｔａ３およびＤａｔａ４である。
【００５８】
上述の方法においては、図４に示されるように、第１の制御シグナリングは、１回の第２の制御シグナリングの送信および複数回のデータの送信のための送信リソースに関する情報を含んでもよく、第２の制御シグナリングの送信のための時間領域リソースに関する情報は、
第２の制御シグナリングの送信の始まりの時間領域リソース番号、もしくは第２の制御シグナリングの送信の始まりの時間領域リソース番号の計算規則、および／または
各回の第２の制御シグナリングの送信のために占有される時間領域リソースの量を含む。
【００５９】
特に、たとえば、制御コマンドが、第２の制御シグナリングの送信の始まりの時間領域リソース番号ｍ０を提供してもよく、または第２の制御シグナリングの送信の始まりの時間領域リソース番号の計算規則Ｎ＋ｍ０を提供してもよく、ｍ０は、一定値であってもよく（たとえば、ｍ０＝４）、または予め定められるかもしくは擬似静的に構成されてもよく、またはシステムメッセージを使用することによって構成されてもよい。同様に、各回の第２の制御シグナリングの送信のために占有される時間領域リソースの量ｍは、一定値であってもよく（たとえば、ｍ＝１）、または予め定められるかもしくは擬似静的に構成されてもよく、またはシステムメッセージを使用することによって構成されてもよい。
【００６０】
上述の方法においては、図４に示されるように、第１の制御シグナリングは、１回の第２の制御シグナリングの送信および複数回のデータの送信のための送信リソースに関する情報を含み、データの送信のための時間領域リソースに関する情報は、
１回目のデータの送信の始まりの時間領域リソース番号、もしくは１回目のデータの送信の始まりの時間領域リソース番号の計算規則、および／または
各回のデータの送信のために占有される時間領域リソースの量、および／または
データの送信の周期、もしくは２回のデータの送信の間の間隔、および／または
データの送信の回数の量を含む。
【００６１】
特に、たとえば、制御コマンドが、データの送信の始まりの時間領域リソース番号ｎ０を提供してもよく、またはデータの送信の始まりの時間領域リソース番号の計算規則を提供してもよく、たとえば、データの送信の始まりの時間領域リソース番号の設定された計算規則は、Ｎ＋ｎ０であり、ｎ０は、一定値であってもよく（たとえば、ｎ０＝５）、または予め定められるかもしくは擬似静的に構成されてもよく、またはシステムメッセージを使用することによって構成されてもよく、さらに、１回目のデータの送信および１回目の第２の制御シグナリングの送信のための最初の時間領域リソースの間の間隔ｓが設定されてもよく、データの送信の始まりの時間領域リソース番号は、受信された第２の制御シグナリングの最後の時間領域リソース番号にｓを足すことによって得られてもよい。同様に、ｓは、一定値であってもよく（たとえば、ｓ＝０）、または予め定められるかもしくは擬似静的に構成されてもよく、またはシステムメッセージを使用することによって構成されてもよい。
【００６２】
同様に、各回のデータの送信のために占有される時間領域リソースの量ｎは、一定値であってもよく（たとえば、ｎ＝３）、または予め定められるかもしくは擬似静的に構成されてもよく、またはシステムメッセージを使用することによって構成されてもよく、データの送信の周期ｑは、一定値であってもよく（たとえば、ｑ＝８）、または予め定められるかもしくは擬似静的に構成されてもよく、またはシステムメッセージを使用することによって構成されてもよく、２回のデータの送信の間の間隔ｖ（ｖ＝ｑ−ｎ）は、一定値であってもよく（たとえば、ｖ＝５）、または予め定められるかもしくは擬似静的に構成されてもよく、またはシステムメッセージを使用することによって構成されてもよく、データの送信の回数の量ｙは、一定値であってもよく（たとえば、ｙ＝３）、または予め定められるかもしくは擬似静的に構成されてもよく、またはシステムメッセージを使用することによって構成されてもよい。
【００６３】
図５は、本発明によるリソーススケジューリングの方法の実施形態４の概略図である。この実施形態においては、１つの第１の制御シグナリングが、１回のＳＡの送信および１回のデータの送信のための送信リソースに関する情報を含む。たとえば、図５に示されるように、基地局ｅＮＢが、送信端末ＵＥ３に２つの制御コマンドを送信し、２つの制御コマンドは、それぞれ、Ｄ２Ｄ  ｇｒａｎｔ１およびＤ２Ｄ  ｇｒａｎｔ２である。Ｄ２Ｄ  ｇｒａｎｔ１は、１回のＳＡの送信および１回のデータの送信のための送信リソースに関する情報を含み、ＳＡの送信のための送信リソースに関する情報は、ＳＡ１であり、データの送信のための送信リソースに関する情報は、Ｄａｔａ１である。Ｄ２Ｄ  ｇｒａｎｔ２は、１回のＳＡの送信および１回のデータの送信のための送信リソースに関する情報を含み、ＳＡの送信のための送信リソースに関する情報は、ＳＡ２であり、データの送信のための送信リソースに関する情報は、Ｄａｔａ２である。
【００６４】
上述の方法においては、図５に示されるように、第１の制御シグナリングは、１回の第２の制御シグナリングの送信および１回のデータの送信のための送信リソースに関する情報を含み、第２の制御シグナリングの送信のための時間領域リソースは、データの送信のための時間領域リソースと連続しており、第１の制御シグナリングは、第２の制御シグナリングの送信のために占有される時間領域リソースの量、および／またはデータの送信のために占有される時間領域リソースの量、および／または第２の制御シグナリングの送信の始まりの時間領域リソース番号を含み、または第１の制御シグナリングは、第２の制御シグナリングの送信およびデータの送信のために占有される時間領域リソースの総量、ならびに／または第２の制御シグナリングの送信のために占有される時間領域リソースの量もしくは第２の制御シグナリングの送信のために占有される時間領域リソースの比率、ならびに／または第２の制御シグナリングの送信の始まりの時間領域リソース番号を含み、または第１の制御シグナリングは、第２の制御シグナリングの送信およびデータの送信のために占有される時間領域リソースの総量、ならびに／またはデータの送信のために占有される時間領域リソースの量もしくはデータの送信のために占有される時間領域リソースの比率、ならびに／または第２の制御シグナリングの送信の始まりの時間領域リソース番号を含む。
【００６５】
特に、第２の制御シグナリングの送信のための時間領域リソースがデータの送信のための時間領域リソースと連続している場合、第２の制御シグナリングの送信のために占有される時間領域リソースの量は、制御コマンド（たとえば、ＤＣＩ）の１つのフィールドに含まれてもよく、データの送信のために占有される時間領域リソースの量は、制御コマンドの別のフィールドに含まれてもよく、または第２の制御シグナリングの送信およびデータの送信のために占有される時間領域リソースの総量は、制御コマンドの１つのフィールドに含まれてもよく、第２の制御シグナリングの送信のために占有される時間領域リソースの量もしくは比率は、制御コマンドの別のフィールドに含まれてもよい。第２の制御シグナリングの送信のために占有される時間領域リソースの量または比率が一定値であるかもしくは擬似静的に構成されるか、またはシステムメッセージを使用することによって構成される場合、データの送信のために占有される時間領域リソースの量だけが、制御コマンドの１つのフィールドに含まれてもよい。さらに、第２の制御シグナリングの送信のために占有される時間領域リソースの量または比率が一定値であるかもしくは擬似静的に構成されるか、またはシステムメッセージを使用することによって構成される場合、第２の制御シグナリングの送信およびデータの送信のために占有される時間領域リソースの総量だけが、制御コマンドの１つのフィールドに含まれてもよい。
【００６６】
上述の方法においては、図５に示されるように、第１の制御シグナリングは、１回の第２の制御シグナリングの送信および１回のデータの送信のための送信リソースに関する情報を含み、第２の制御シグナリングの送信のための時間領域リソースは、データの送信のための時間領域リソースと連続しておらず、第１の制御シグナリングは、第２の制御シグナリングの送信のために占有される時間領域リソースの量、および／またはデータの送信のために占有される時間領域リソースの量、および／または第２の制御シグナリングの送信の始まりの時間領域リソース番号、および／またはデータの送信と第２の制御シグナリングの送信との間の間隔を含む。
【００６７】
特に、第２の制御シグナリングの送信のための時間領域リソースがデータの送信のための時間領域リソースと連続していない場合、第２の制御シグナリングの送信のために占有される時間領域リソースの量は、制御コマンド（たとえば、ＤＣＩ）の１つのフィールドに含まれてもよく、データの送信のために占有される時間領域リソースの量は、制御コマンドの別のフィールドに含まれてもよく、第２の制御シグナリングの送信とデータの送信との間の間隔は、制御コマンドのさらに別のフィールドに含まれてもよい。第２の制御シグナリングの送信のために占有される時間領域リソースの量、データの送信のために占有される時間領域リソースの量、および第２の制御シグナリングの送信とデータの送信との間の間隔は、さらに、制御コマンドの２つのフィールドまたは同じフィールドに含まれてもよい。たとえば、第２の制御シグナリングの送信のために占有される時間領域リソースの量がｍであり、データの送信のために占有される時間領域リソースの量がｎであり、第２の制御シグナリングの送信とデータの送信との間の間隔がｓであり、ｍ、ｎ、およびｓが、一定値であるか、または予め定められるか、または擬似静的に構成されるか、またはシステムメッセージを使用することによって構成されると仮定すると、１つまたは２つのフィールドだけが、上述のパラメータ情報を含むために必要とされる。
【００６８】
上述の方法において、第１の制御シグナリングは、１つのフィールドを含み、フィールドは、ビットマップ方式で、どのリソースが第２の制御シグナリングの送信のために使用されるか、およびどのリソースがデータの送信のために使用されるかを特定するために使用される。
【００６９】
上述の方法において、第１の制御シグナリングは、１つのフィールドを含み、フィールドは、第２の制御シグナリングの送信のために占有される予め定められるリソースのパターンのシリアル番号、およびデータの送信のために占有される予め定められるリソースのパターンのシリアル番号を特定するために使用される。
【００７０】
上述の方法において、第１の制御シグナリングは、第２の制御シグナリングのための他のパラメータ情報、およびデータの送信のための他のパラメータ情報をさらに含み、
第１の制御シグナリングは、１つのパブリックフィールドを含み、パブリックフィールドは、第２の制御シグナリングのための他のパラメータ情報とデータの送信のための他のパラメータ情報との両方を特定するために使用され、または第１の制御シグナリングは、２つの専用のフィールドを含み、２つの専用のフィールドは、第２の制御シグナリングのための他のパラメータ情報およびデータの送信のための他のパラメータ情報を特定するためにそれぞれ使用され、または第１の制御シグナリングは１つのフィールドを含み、フィールドはデータの送信のための他のパラメータ情報を特定するために使用され、第２の制御シグナリングの他のパラメータは、一定であるか、予め定められるか、擬似静的に構成されるか、もしくはシステムメッセージを使用することによって構成される。
【００７１】
特に、たとえば、第２の制御シグナリングの他のパラメータがデータの送信の他のパラメータと同じである場合、第２の制御シグナリングおよびデータの送信のものである他のパラメータ情報は、制御コマンド（たとえば、ＤＣＩ）の同じフィールドに含まれ、第２の制御シグナリングの他のパラメータがデータの送信の他のパラメータと異なる場合、データの送信のための他のパラメータ情報のみが、制御コマンドの１つのフィールドに含まれてもよく、第２の制御シグナリングの他のパラメータは、一定であるか、予め定められるか、擬似静的に構成されるか、またはシステムメッセージを使用することによって構成される。
【００７２】
図６は、本発明によるリソーススケジューリングの方法の実施形態５のフローチャートである。図６に示されるように、この実施形態の方法は、以下の内容を含んでもよい。
【００７３】
Ｓ６０１．第１のノードが、第２のノードの第２の制御シグナリングの送信のためのリソースに関する情報および第２のノードのデータの送信のためのリソースに関する情報を獲得し、リソースは、周波数領域リソースおよび／または時間領域リソースである。
【００７４】
特に、第１のノードは、ネットワーク内の中央制御デバイス（たとえば、基地局）であってもよく、第２のノードは、Ｄ２Ｄ通信における送信側装置であってもよく、第２のノードの第２の制御シグナリングの送信のためのリソースおよび第２のノードのデータの送信のためのリソースは、事前に割り当てられる。この実施形態において、第１のノードは、第２のノードの第２の制御シグナリングの送信のためのリソースに関する情報および第２のノードのデータの送信のためのリソースに関する情報を獲得（たとえば、メモリから獲得）しさえすればよい。
【００７５】
Ｓ６０２．第１のノードが、第２のノードに第１の制御シグナリングを送信し、第１の制御シグナリングは、第２の制御シグナリングの送信のためのリソースに関する情報およびデータの送信のためのリソースに関する情報を含み、その結果、第１の制御シグナリングを受信した後、第２のノードは、第２の制御シグナリングの送信のためのリソースを使用して第３のノードに第２の制御シグナリングを送信し、データの送信のためのリソースを使用して第３のノードにデータを送信し得る。
【００７６】
特に、第１の制御シグナリングは、ダウンリンク制御情報（Ｄｏｗｎｌｉｎｋ  Ｃｏｎｔｒｏｌ  Ｉｎｆｏｒｍａｔｉｏｎ、略してＤＣＩ）であってもよく、第３のノードは、Ｄ２Ｄ通信における受信側装置であってもよい。第１のノードは、第２のノードに、第２の制御シグナリングの送信のために第２のノードに割り当てられるリソースに関する情報およびデータの送信のために第２のノードに割り当てられるリソースに関する情報を知らせ、その結果、第２のノードは、第２の制御シグナリングの送信のために第２のノードに事前に割り当てられたリソースを使用して第３のノードに第２の制御シグナリングを送信し、データの送信のために第２のノードに事前に割り当てられたリソースを使用して第３のノードにデータを送信し得る。
【００７７】
この実施形態においては、第１のノードが、第２の制御シグナリングの送信のためのリソースに関する情報およびデータの送信のためのリソースに関する情報を獲得し、両方のリソースが、第２のノードに事前に割り当てられ、第２のノードに第１の制御シグナリングを送信することによって第２のノードに第２の制御シグナリングの送信のためのリソースに関する情報およびデータの送信のためのリソースに関する情報を送信し、その結果、第１の制御シグナリングを受信した後、第２のノードは、第２の制御シグナリングの送信のためのリソースを使用して第３のノードに第２の制御シグナリングを送信し、データの送信のためのリソースを使用して第３のノードにデータを送信し得る。第１の制御シグナリングが第２の制御シグナリングの送信のためのリソースに関する情報とデータの送信のためのリソースに関する情報との両方を含むので、第２の制御シグナリングの送信のためのリソースおよびデータの送信のためのリソースの並列的なスケジューリングが実装され、そのことが、リソーススケジューリングのシグナリングのオーバーヘッドを低減し、リソーススケジューリングの効率を向上させる。
【００７８】
図７は、本発明によるリソーススケジューリングの装置の実施形態１の概略構造図である。図７に示されるように、この実施形態のリソーススケジューリングの装置は、受信モジュール７０１および送信モジュール７０２を含んでもよい。受信モジュール７０１は、第１のノードによって送信された第１の制御シグナリングを受信するように構成され、第１の制御シグナリングは、第２の制御シグナリングの送信のためのリソースに関する情報およびデータの送信のためのリソースに関する情報を含み、送信モジュール７０２は、第２の制御シグナリングの送信のためのリソースを使用することによって第３のノードに第２の制御シグナリングを送信するように構成され、送信モジュール７０２は、データの送信のためのリソースを使用することによって第３のノードにデータを送信するようにさらに構成される。
【００７９】
この実施形態のリソーススケジューリングの装置は、図２に示された方法の実施形態の方法を実行するように構成されてもよく、対応する機能モジュールを有する。実装の原理およびその望ましい技術的な効果は同様であり、ここでは説明されない。
【００８０】
上述の装置によれば、第１の制御シグナリングは、１つの周波数領域リソースのフィールドを含み、周波数領域リソースのフィールドは、第２のノードの第２の制御シグナリングの送信のための周波数領域リソースおよび第２のノードのデータの送信のための周波数領域リソースを特定するために使用され、第２の制御シグナリングの送信のための周波数領域リソースは、データの送信のための周波数領域リソースと同じである。
【００８１】
この実施形態のリソーススケジューリングの装置に関して、実装の原理およびその望ましい効果は既に上で説明されており、ここでは説明されない。
【００８２】
上述の装置によれば、第１の制御シグナリングは、１つの周波数領域リソースのフィールドを含み、周波数領域リソースのフィールドは、第２のノードのデータの送信のための周波数領域リソースを特定するために使用され、第２のノードの第２の制御シグナリングの送信のための周波数領域リソースは、予め定められるかもしくは擬似静的に構成されるか、またはシステムメッセージを使用することによって構成される。
【００８３】
この実施形態のリソーススケジューリングの装置に関して、実装の原理およびその望ましい効果は既に上で説明されており、ここでは説明されない。
【００８４】
上述の装置によれば、第１の制御シグナリングは、２つの周波数領域リソースのフィールドを含み、２つの周波数領域リソースのフィールドは、それぞれ、第２のノードの第２の制御シグナリングの送信のための周波数領域リソースおよび第２のノードのデータの送信のための周波数領域リソースを特定するために使用される。
【００８５】
この実施形態のリソーススケジューリングの装置に関して、実装の原理およびその望ましい効果は既に上で説明されており、ここでは説明されない。
【００８６】
上述の装置によれば、第１の制御シグナリングは、複数回の第２の制御シグナリングの送信および複数回のデータの送信のための送信リソースに関する情報を含み、第２の制御シグナリングの送信のための時間領域リソースに関する情報は、
第２の制御シグナリングの送信の始まりの時間領域リソース番号、もしくは第２の制御シグナリングの送信の始まりの時間領域リソース番号の計算規則、および／または
各回の第２の制御シグナリングの送信のために占有される時間領域リソースの量、および／または
第２の制御シグナリングの送信の周期、もしくは２回の第２の制御シグナリングの送信の間の間隔、および／または
第２の制御シグナリングの送信の回数の量を含む。
【００８７】
この実施形態のリソーススケジューリングの装置に関して、実装の原理およびその望ましい効果は既に上で説明されており、ここでは説明されない。
【００８８】
上述の装置によれば、第１の制御シグナリングは、複数回の第２の制御シグナリングの送信および複数回のデータの送信のための送信リソースに関する情報を含み、データの送信のための時間領域リソースに関する情報は、
１回目のデータの送信の始まりの時間領域リソース番号、もしくは１回目のデータの送信の始まりの時間領域リソース番号の計算規則、および／または
各回のデータの送信のために占有される時間領域リソースの量、および／または
データの送信の周期、もしくは２回のデータの送信の間の間隔、および／または
データの送信の回数の量を含む。
【００８９】
この実施形態のリソーススケジューリングの装置に関して、実装の原理およびその望ましい効果は既に上で説明されており、ここでは説明されない。
【００９０】
上述の装置によれば、第１の制御シグナリングは、１回の第２の制御シグナリングの送信および複数回のデータの送信のための送信リソースに関する情報を含み、第２の制御シグナリングの送信のための時間領域リソースに関する情報は、
第２の制御シグナリングの送信の始まりの時間領域リソース番号、もしくは第２の制御シグナリングの送信の始まりの時間領域リソース番号の計算規則、および／または
第２の制御シグナリングの送信のために占有される時間領域リソースの量を含み、
データの送信のための時間領域リソースに関する情報は、
１回目のデータの送信の始まりの時間領域リソース番号、もしくは１回目のデータの送信の始まりの時間領域リソース番号の計算規則、および／または
各回のデータの送信のために占有される時間領域リソースの量、および／または
データの送信の周期、もしくは２回のデータの送信の間の間隔、および／または
データの送信の回数の量を含む。
【００９１】
この実施形態のリソーススケジューリングの装置に関して、実装の原理およびその望ましい効果は既に上で説明されており、ここでは説明されない。
【００９２】
上述の装置によれば、第１の制御シグナリングは、１回の第２の制御シグナリングの送信および１回のデータの送信のための送信リソースに関する情報を含み、第２の制御シグナリングの送信のための時間領域リソースは、データの送信のための時間領域リソースと連続しており、第１の制御シグナリングは、第２の制御シグナリングの送信のために占有される時間領域リソースの量、および／またはデータの送信のために占有される時間領域リソースの量、および／または第２の制御シグナリングの送信の始まりの時間領域リソース番号を含み、または第１の制御シグナリングは、第２の制御シグナリングの送信およびデータの送信のために占有される時間領域リソースの総量、ならびに／または第２の制御シグナリングの送信のために占有される時間領域リソースの量もしくは第２の制御シグナリングの送信のために占有される時間領域リソースの比率、ならびに／または第２の制御シグナリングの送信の始まりの時間領域リソース番号を含み、または第１の制御シグナリングは、第２の制御シグナリングの送信およびデータの送信のために占有される時間領域リソースの総量、ならびに／またはデータの送信のために占有される時間領域リソースの量もしくはデータの送信のために占有される時間領域リソースの比率、ならびに／または第２の制御シグナリングの送信の始まりの時間領域リソース番号を含む。
【００９３】
この実施形態のリソーススケジューリングの装置に関して、実装の原理およびその望ましい効果は既に上で説明されており、ここでは説明されない。
【００９４】
上述の装置によれば、第１の制御シグナリングは、１回の第２の制御シグナリングの送信および１回のデータの送信のための送信リソースに関する情報を含み、第２の制御シグナリングの送信のための時間領域リソースは、データの送信のための時間領域リソースと連続しておらず、第１の制御シグナリングは、第２の制御シグナリングの送信のために占有される時間領域リソースの量、および／またはデータの送信のために占有される時間領域リソースの量、および／または第２の制御シグナリングの送信の始まりの時間領域リソース番号、および／またはデータの送信と第２の制御シグナリングの送信との間の間隔を含む。
【００９５】
この実施形態のリソーススケジューリングの装置に関して、実装の原理およびその望ましい効果は既に上で説明されており、ここでは説明されない。
【００９６】
上述の装置によれば、第１の制御シグナリングは、１つのフィールドを含み、フィールドは、ビットマップ方式で、どのリソースが第２の制御シグナリングの送信のために使用されるか、およびどのリソースがデータの送信のために使用されるかを特定するために使用される。
【００９７】
この実施形態のリソーススケジューリングの装置に関して、実装の原理およびその望ましい効果は既に上で説明されており、ここでは説明されない。
【００９８】
上述の装置によれば、第１の制御シグナリングは、１つのフィールドを含み、フィールドは、第２の制御シグナリングの送信のために占有される予め定められたリソースのパターンのシリアル番号、およびデータの送信のために占有される予め定められたリソースのパターンのシリアル番号を特定するために使用される。
【００９９】
この実施形態のリソーススケジューリングの装置に関して、実装の原理およびその望ましい効果は既に上で説明されており、ここでは説明されない。
【０１００】
上述の装置によれば、第１の制御シグナリングは、第２の制御シグナリングのための他のパラメータ情報、およびデータの送信のための他のパラメータ情報をさらに含み、
第１の制御シグナリングは、１つのパブリックフィールドを含み、パブリックフィールドは、第２の制御シグナリングのための他のパラメータ情報とデータの送信のための他のパラメータ情報との両方を特定するために使用され、または第１の制御シグナリングは、２つの専用のフィールドを含み、２つの専用のフィールドは、第２の制御シグナリングのための他のパラメータ情報およびデータの送信のための他のパラメータ情報を特定するためにそれぞれ使用され、または第１の制御シグナリングは、１つのフィールドを含み、フィールドはデータの送信のための他のパラメータ情報を特定するために使用され、第２の制御シグナリングの他のパラメータは、一定であるか、予め定められるか、擬似静的に構成されるか、もしくはシステムメッセージを使用することによって構成される。
【０１０１】
この実施形態のリソーススケジューリングの装置に関して、実装の原理およびその望ましい効果は既に上で説明されており、ここでは説明されない。
【０１０２】
図８は、本発明によるリソーススケジューリングの装置の実施形態２の概略構造図である。図８に示されるように、この実施形態のリソーススケジューリングの装置は、獲得モジュール８０１および送信モジュール８０２を含んでもよい。獲得モジュール８０１は、第２のノードの第２の制御シグナリングの送信のためのリソースに関する情報および第２のノードのデータの送信のためのリソースに関する情報を獲得するように構成され、リソースは、周波数領域リソースおよび／または時間領域リソースであり、送信モジュール８０２は、第２のノードに第１の制御シグナリングを送信するように構成され、第１の制御シグナリングは、第２の制御シグナリングの送信のためのリソースに関する情報およびデータの送信のためのリソースに関する情報を含み、その結果、第１の制御シグナリングを受信した後、第２のノードは、第２の制御シグナリングの送信のためのリソースを使用して第３のノードに第２の制御シグナリングを送信し、および／またはデータの送信のためのリソースを使用して第３のノードにデータを送信し得る。
【０１０３】
この実施形態のリソーススケジューリングの装置は、図６に示された方法の実施形態の方法を実行するように構成されてもよく、対応する機能モジュールを有する。実装の原理およびその望ましい技術的な効果は同様であり、ここでは説明されない。
【０１０４】
図９は、本発明の実施形態によるリソーススケジューリングのシステムの概略構造図である。図９に示されるように、この実施形態のリソーススケジューリングのシステムは、第１のノード９０１（たとえば、基地局）、第２のノード９０２（たとえば、Ｄ２Ｄ通信における送信側装置）、および第３のノード９０３（たとえば、Ｄ２Ｄ通信における受信側装置）を含んでもよく、第１のノード９０１は、第１のノードの側にあり、本発明のいずれかの実施形態において提供されるリソーススケジューリングの装置を使用してもよく、第２のノード９０２は、第２のノードの側にあり、本発明のいずれかの実施形態において提供されるリソーススケジューリングの装置を使用してもよい。実装の原理およびその望ましい技術的な効果に関しては、上述の方法の実施形態が参照してもよく、詳細はここでは説明されない。
【０１０５】
図１０は、本発明の実施形態によるリソーススケジューリングデバイスの実施形態１の概略構造図である。図１０に示されるように、情報推薦デバイスは、少なくとも１つのプロセッサ１００１（たとえば、ＣＰＵ）と、メモリ１００３と、装置の間の接続および通信を実装するように構成される少なくとも１つの通信バス１００４とを含む。プロセッサ１００１は、メモリ１００３に記憶されたコンピュータプログラムなどの実行可能なモジュールを実行するように構成される。メモリ１００３は、高速なランダムアクセスメモリ（ＲＡＭ：Ｒａｎｄｏｍ  Ａｃｃｅｓｓ  Ｍｅｍｏｒｙ）を含んでもよく、不揮発性メモリ（ｎｏｎ−ｖｏｌａｔｉｌｅ  ｍｅｍｏｒｙ）、たとえば、少なくとも１つの磁気ディスクメモリをさらに含んでもよい。
【０１０６】
一部の実装方式において、メモリ１００３は、プログラム１００５を記憶し、プログラム１００５は、プロセッサ１００１によって実行されてもよく、プログラムは、リソーススケジューリングの方法を実行するために使用され、方法は、
第２のノードによって、第１のノードによって送信された第１の制御シグナリングを受信することであって、第１の制御シグナリングが、第２の制御シグナリングの送信のためのリソースに関する情報およびデータの送信のためのリソースに関する情報を含む、受信することと、
第２のノードによって、第２の制御シグナリングの送信のためのリソースを使用することによって第３のノードに第２の制御シグナリングを送信することと、
第２のノードによって、データの送信のためのリソースを使用することによって第３のノードにデータを送信することとを含む。
【０１０７】
リソーススケジューリングの方法を実行するための上述のプログラムによれば、好ましくは、第１の制御シグナリングは、１つの周波数領域リソースのフィールドを含み、周波数領域リソースのフィールドは、第２のノードの第２の制御シグナリングの送信のための周波数領域リソースおよび第２のノードのデータの送信のための周波数領域リソースを特定するために使用され、第２の制御シグナリングの送信のための周波数領域リソースは、データの送信のための周波数領域リソースと同じである。
【０１０８】
リソーススケジューリングの方法を実行するための上述のプログラムによれば、好ましくは、第１の制御シグナリングは、１つの周波数領域リソースのフィールドを含み、周波数領域リソースのフィールドは、第２のノードのデータの送信のための周波数領域リソースを特定するために使用され、第２のノードの第２の制御シグナリングの送信のための周波数領域リソースは、予め定められるかもしくは擬似静的に構成されるか、またはシステムメッセージを使用することによって構成される。
【０１０９】
リソーススケジューリングの方法を実行するための上述のプログラムによれば、好ましくは、第１の制御シグナリングは、２つの周波数領域リソースのフィールドを含み、２つの周波数領域リソースのフィールドは、それぞれ、第２のノードの第２の制御シグナリングの送信のための周波数領域リソースおよび第２のノードのデータの送信のための周波数領域リソースを特定するために使用される。
【０１１０】
リソーススケジューリングの方法を実行するための上述のプログラムによれば、好ましくは、第１の制御シグナリングは、複数回の第２の制御シグナリングの送信および複数回のデータの送信のための送信リソースに関する情報を含み、第２の制御シグナリングの送信のための時間領域リソースに関する情報は、
第２の制御シグナリングの送信の始まりの時間領域リソース番号、もしくは第２の制御シグナリングの送信の始まりの時間領域リソース番号の計算規則、および／または
各回の第２の制御シグナリングの送信のために占有される時間領域リソースの量、および／または
第２の制御シグナリングの送信の周期、もしくは２回の第２の制御シグナリングの送信の間の間隔、および／または
第２の制御シグナリングの送信の回数の量を含む。
【０１１１】
リソーススケジューリングの方法を実行するための上述のプログラムによれば、好ましくは、第１の制御シグナリングは、複数回の第２の制御シグナリングの送信および複数回のデータの送信のための送信リソースに関する情報を含み、データの送信のための時間領域リソースに関する情報は、
１回目のデータの送信の始まりの時間領域リソース番号、もしくは１回目のデータの送信の始まりの時間領域リソース番号の計算規則、および／または
各回のデータの送信のために占有される時間領域リソースの量、および／または
データの送信の周期、もしくは２回のデータの送信の間の間隔、および／または
データの送信の回数の量を含む。
【０１１２】
リソーススケジューリングの方法を実行するための上述のプログラムによれば、好ましくは、第１の制御シグナリングは、１回の第２の制御シグナリングの送信および複数回のデータの送信のための送信リソースに関する情報を含み、第２の制御シグナリングの送信のための時間領域リソースに関する情報は、
第２の制御シグナリングの送信の始まりの時間領域リソース番号、もしくは第２の制御シグナリングの送信の始まりの時間領域リソース番号の計算規則、および／または
第２の制御シグナリングの送信のために占有される時間領域リソースの量を含み、
データの送信のための時間領域リソースに関する情報は、
１回目のデータの送信の始まりの時間領域リソース番号、もしくは１回目のデータの送信の始まりの時間領域リソース番号の計算規則、および／または
各回のデータの送信のために占有される時間領域リソースの量、および／または
データの送信の周期、もしくは２回のデータの送信の間の間隔、および／または
データの送信の回数の量を含む。
【０１１３】
リソーススケジューリングの方法を実行するための上述のプログラムによれば、好ましくは、第１の制御シグナリングは、１回の第２の制御シグナリングの送信および１回のデータの送信のための送信リソースに関する情報を含み、第２の制御シグナリングの送信のための時間領域リソースは、データの送信のための時間領域リソースと連続しており、第１の制御シグナリングは、第２の制御シグナリングの送信のために占有される時間領域リソースの量、および／またはデータの送信のために占有される時間領域リソースの量、および／または第２の制御シグナリングの送信の始まりの時間領域リソース番号を含み、または第１の制御シグナリングは、第２の制御シグナリングの送信およびデータの送信のために占有される時間領域リソースの総量、ならびに／または第２の制御シグナリングの送信のために占有される時間領域リソースの量もしくは第２の制御シグナリングの送信のために占有される時間領域リソースの比率、ならびに／または第２の制御シグナリングの送信の始まりの時間領域リソース番号を含み、または第１の制御シグナリングは、第２の制御シグナリングの送信およびデータの送信のために占有される時間領域リソースの総量、ならびに／またはデータの送信のために占有される時間領域リソースの量もしくはデータの送信のために占有される時間領域リソースの比率、ならびに／または第２の制御シグナリングの送信の始まりの時間領域リソース番号を含む。
【０１１４】
リソーススケジューリングの方法を実行するための上述のプログラムによれば、好ましくは、第１の制御シグナリングは、１回の第２の制御シグナリングの送信および１回のデータの送信のための送信リソースに関する情報を含み、第２の制御シグナリングの送信のための時間領域リソースは、データの送信のための時間領域リソースと連続しておらず、第１の制御シグナリングは、第２の制御シグナリングの送信のために占有される時間領域リソースの量、および／またはデータの送信のために占有される時間領域リソースの量、および／または第２の制御シグナリングの送信の始まりの時間領域リソース番号、および／またはデータの送信と第２の制御シグナリングの送信との間の間隔を含む。
【０１１５】
リソーススケジューリングの方法を実行するための上述のプログラムによれば、好ましくは、第１の制御シグナリングは、１つのフィールドを含み、フィールドは、ビットマップ方式で、どのリソースが第２の制御シグナリングの送信のために使用されるか、およびどのリソースがデータの送信のために使用されるかを特定するために使用される。
【０１１６】
リソーススケジューリングの方法を実行するための上述のプログラムによれば、好ましくは、第１の制御シグナリングは、１つのフィールドを含み、フィールドは、第２の制御シグナリングの送信のために占有される予め定められたリソースのパターンのシリアル番号、およびデータの送信のために占有される予め定められたリソースのパターンのシリアル番号を特定するために使用される。
【０１１７】
リソーススケジューリングの方法を実行するための上述のプログラムによれば、好ましくは、第１の制御シグナリングは、第２の制御シグナリングのための他のパラメータ情報、およびデータの送信のための他のパラメータ情報をさらに含み、
第１の制御シグナリングは、１つのパブリックフィールドを含み、パブリックフィールドは、第２の制御シグナリングのための他のパラメータ情報とデータの送信のための他のパラメータ情報との両方を特定するために使用され、または第１の制御シグナリングは、２つの専用のフィールドを含み、２つの専用のフィールドは、第２の制御シグナリングのための他のパラメータ情報およびデータの送信のための他のパラメータ情報を特定するためにそれぞれ使用され、または第１の制御シグナリングは、１つのフィールドを含み、フィールドはデータの送信のための他のパラメータ情報を特定するために使用され、第２の制御シグナリングの他のパラメータは、一定であるか、予め定められるか、擬似静的に構成されるか、もしくはシステムメッセージを使用することによって構成される。
【０１１８】
図１１は、本発明の実施形態によるリソーススケジューリングデバイスの実施形態２の概略構造図である。図１１に示されるように、リソーススケジューリングデバイスは、少なくとも１つのプロセッサ１１０１（たとえば、ＣＰＵ）と、メモリ１１０３と、装置の間の接続および通信を実装するように構成される少なくとも１つの通信バス１１０４とを含む。プロセッサ１１０１は、メモリ１１０３に記憶されたコンピュータプログラムなどの実行可能なモジュールを実行するように構成される。メモリ１１０３は、高速なランダムアクセスメモリ（ＲＡＭ：Ｒａｎｄｏｍ  Ａｃｃｅｓｓ  Ｍｅｍｏｒｙ）を含んでもよく、不揮発性メモリ（ｎｏｎ−ｖｏｌａｔｉｌｅ  ｍｅｍｏｒｙ）、たとえば、少なくとも１つの磁気ディスクメモリをさらに含んでもよい。
【０１１９】
一部の実装方式において、メモリ１１０３は、プログラム１１０５を記憶し、プログラム１１０５は、プロセッサ１１０１によって実行されてもよく、プログラムは、リソーススケジューリングの方法の実行を含み、方法は、
第１のノードによって、第２のノードの第２の制御シグナリングの送信のためのリソースに関する情報および第２のノードのデータの送信のためのリソースに関する情報を獲得するステップであって、リソースが、周波数領域リソースおよび／または時間領域リソースである、ステップと、
第１のノードによって、第２のノードに第１の制御シグナリングを送信するステップであって、第１の制御シグナリングが、第２の制御シグナリングの送信のためのリソースに関する情報およびデータの送信のためのリソースに関する情報を含み、その結果、第１の制御シグナリングを受信した後、第２のノードが、第２の制御シグナリングの送信のためのリソースを使用して第３のノードに第２の制御シグナリングを送信し、および／またはデータの送信のためのリソースを使用して第３のノードにデータを送信し得る、ステップとを含む。
【０１２０】
一部の実装方式では、特定の実施形態において、第１のノードは、別の端末を管理するための役割を担うためにネットワークカバレッジが存在しないときに一時的に選択される端末、たとえば、同期ソース（synchronization source）またはグループヘッド（group head）／クラスタヘッド（cluster head）であってもよく、第２のノードおよび第３のノードは、端末であってもよい。
【０１２１】
最後に、上述の実施形態は本発明の技術的な解決策を説明するように意図されているに過ぎず、本発明を限定するように意図されていないことに留意されたい。本発明が上述の実施形態を参照して詳細に説明されているが、当業者は、本発明の実施形態の技術的な解決策の精神および範囲を逸脱することなく、上述の実施形態において説明された技術的な解決策に対してさらに修正を行ってもよく、またはその技術的な解決策のいくつかの技術的な特徴に対して等価な置き換えを行ってもよいことを理解するはずである。
【図１】
0006426759.tif 000002
【図２】
0006426759.tif 000003
【図３】
0006426759.tif 000004
【図４】
0006426759.tif 000005
【図５】
0006426759.tif 000006
【図６】
0006426759.tif 000007
【図７】
0006426759.tif 000008
【図８】
0006426759.tif 000009
【図９】
0006426759.tif 000010
【図１０】
0006426759.tif 000011
【図１１】
0006426759.tif 000012